(57)【特許請求の範囲】
【請求項１】
無端状に連結され、乗客が乗降する一対の乗降口間を走行する複数の踏段を有する乗客コンベアの踏段清掃方法において、
ブラシを有する清掃体を櫛板の取付孔を利用して取り付けると共に、前記踏段の踏み面に汚れ除去剤を散布し、
その後前記乗客コンベアを運転させ、前記清掃体の前記ブラシで前記踏み面の汚れを浮き出させ、
ここで前記乗客コンベアの運転を一旦停止させ、前記清掃体にモップ体を有する別の清掃体を取り付け、
再び前記乗客コンベアを運転させ、前記モップ体で前記踏み面の汚れを拭き取り、
ここで乗客コンベアの運転を停止させ、前記モップ体を有する前記別の清掃体を取り外し、
この状態で再び前記乗客コンベアを運転させ、前記ブラシで前記踏み面を艶出しすることを特徴とする乗客コンベアの踏段清掃方法。
【発明の詳細な説明】
【０００１】
【発明の属する技術分野】
本発明は、エスカレータやオートラインなどの乗客コンベアの踏段清掃方法に関する。
【０００２】
【従来の技術】
一般にエスカレータやオートラインなどの乗客コンベアは、走行時間の積算に応じて乗客が乗る踏段の踏み面に汚れが次第に付着するため、従来、この踏段の清掃作業を定期的に作業員が手作業にて行なっていた。
【０００３】
しかしながら、この手作業による踏段の清掃は多大な時間と労力を要することから、このような従来の問題を解決する一手段として、例えば、特開昭６１−１３０１９６号公報に記載されているように、乗客コンベアの櫛板の取付孔に清掃体を取付け、踏段の走行に応じてこの清掃体により踏み面上の塵埃等のごみを集め、このごみをバキュームクリーナで吸引することにより踏段の清掃を行なう乗客コンベアの踏段清掃装置が提案されている。
【０００４】
また、例えば、実開平２−７２２９０号公報に記載されているように、洗浄液を塗布した踏段の踏み面を電動ブラシによりブラッシングするとともに、塵埃等のごみを含む前記の洗浄液をバキュームクリーナで吸引することにより踏段の清掃を行なう乗客コンベアの踏段清掃装置も提案されている。
【０００５】
【発明が解決しようとする課題】
ところで、上述した従来の踏段清掃装置では、踏段の踏み面から落した塵埃等のごみを含む汚れをバキュームクリーナで吸引する方式を取っているため、踏段の踏み面の溝部に入り込んだ汚れを完全に除去することができず、その後、乗客コンベアを起動させたとき、前記の汚れが再び踏段の踏み面に付着するという問題があった。
【０００６】
また、前記のバキュームクリーナで十分な吸引を行なおうとする場合、大容量で大型の装置を必要とすることから、このような装置を乗客コンベアの設置現場に持ち込んで清掃することには運搬性およびコスト面などの問題から不都合があり、実施することが困難であった。
【０００７】
本発明はこのような従来技術における実情に鑑みてなされたもので、その目的は、踏段の踏み面から汚れを確実に除去することのできる乗客コンベアの踏段清掃方法を提供することにある。
【０００８】
【課題を解決するための手段】
上記目的を達成するため、本発明の請求項１に係わる発明は、無端状に連結され、乗客が乗降する一対の乗降口間を走行する複数の踏段を有する乗客コンベアの踏段清掃方法において、ブラシを有する清掃体を櫛板の取付孔を利用して取り付けると共に、前記踏段の踏み面に汚れ除去剤を散布し、その後前記乗客コンベアを運転させ、前記清掃体の前記ブラシで前記踏み面の汚れを浮き出させ、ここで前記乗客コンベアの運転を一旦停止させ、前記清掃体にモップ体を有する別の清掃体を取り付け、再び前記乗客コンベアを運転させ、前記モップ体で前記踏み面の汚れを拭き取り、ここで乗客コンベアの運転を停止させ、前記モップ体を有する前記別の清掃体を取り外し、この状態で再び前記乗客コンベアを運転させ、前記ブラシで前記踏み面を艶出しする構成にしてある。
【０００９】
このように構成した本発明の請求項１に係わる発明では、上述したように踏段の踏み面表面および溝部に当接する清掃体を一対の乗降口の少なくとも一方に配置し、踏段を走行させて前記の清掃体で汚れ除去剤を払拭するので、この汚れ除去剤とともに汚れを踏み面から十分に除去でき、これにより、落した汚れが再び踏み面に付着することを防止できる。さらに、前述したように踏段の踏み面に汚れ除去剤を塗布するとともに、踏段を走行させながら踏み面上をブラッシングして、これらの踏み面の汚れを浮き出させた後、この汚れを含む汚れ除去剤を清掃体で払拭することにより、踏段の踏み面から汚れをより確実に除去できる。
【００１０】
【発明の実施の形態】
以下、本発明の実施の形態の乗客コンベアの踏段清掃方法を図に基づいて説明する。
【００１１】
図１は本発明に係わる踏段清掃方法の一実施形態に使用される踏段清掃装置を備えたエスカレータの説明図、図２は図１に示す踏段清掃装置を拡大して示す説明図、図３は図１に示す踏段清掃装置に設けられる第２の清掃体の説明図、図４は図１に示す踏段清掃装置の平面図、図５は図１に示す踏段清掃装置に備えられる第１の清掃体により踏段の踏み面を清掃する状態を示す正面図、図６は本発明に係わる踏段清掃方法の一実施形態の作業手順の一部を示すフローチャート、図７は本発明に係わる踏段清掃方法の一実施形態の作業手順の残り部分を示すフローチャートである。なお、図６のＡ部と図７のＡ部とは連続している。
【００１２】
まず本実施形態に使用される踏段清掃装置を適用する乗客コンベアの構成をエスカレータを例に取り説明する。すなわち、図１に示すエスカレータは、無端状に連結され、乗客が乗降する上部乗降口２および図示しない下部乗降口間を走行する複数の踏段１ａ、１ｂ、１ｃなどと、これらの踏段１ａ〜１ｃの側方に設けられるスカートガード３および欄干パネル４と、この欄干パネル４の周縁部に係合した状態で踏段１ａ〜１ｃと同期して走行する無端状の移動手摺り５とを有している。上述した上部乗降口２の床板２ａの踏段１ａ〜１ｃ側の端部には、これらの踏段１ａ〜１ｃの踏み面１１ａ〜１１ｃにそれぞれ形成される複数個の溝部（いわゆるクリート）１１１ａ〜１１１ｃに係合可能な図示しない櫛板が設けられている。
【００１３】
そして本実施形態に使用される踏段清掃装置６は、図２に示すように、上部乗降口２の床板２ａの図示しない櫛板取付孔にビス６１ａにより締結される第２のブラケット６１と、この第２のブラケット６１に固定される第２の清掃体６２と、この第２の清掃体６２から下部乗降口側へ延設される第１の清掃体６３と、これらの第２の清掃体６２と第１の清掃体６３とを連結する第１のブラケット６４と、第１の清掃体６３の変位を抑制する抑制手段６５とから構成されている。
【００１４】
上述した第２の清掃体６２は、図３、図４に示すように、第２のブラケット６１に固定されるＬ字型の固定片６２ａと、この固定片６２ａにその上面が支持され、下方へ延設されるともに下端部で複数個の溝部１１１ａ〜１１１ｃの頂部および底部に当接可能な第２のブラシ６２ｂと、固定片６２ａにその下面が支持され、上方へ延設されるともに蝶ナット６２１ｃが螺合するねじ棒６２ｃと、このねじ棒６２ｃが挿通される筒体６２ｄとから構成されている。なお、第２のブラケット６１および筒体６２ｄは、それぞれ踏段１ａ〜１ｃの幅寸法とほぼ同等の長尺寸法を有し、踏段１ａ〜１ｃの幅方向とほぼ平行に配設されている。
【００１５】
上述した第１のブラケット６４は、図２、図４に示すように、ねじ棒６２ｃが挿通するとともに上面が蝶ナット６２１ｃにより押えられる円筒状の支持棒６４ａと、この支持棒６４ａの周囲に回動可能に当接する略Ｕ字体６４ｂと、この略Ｕ字体６４ｂから下部乗降口の方向へ延設され、順に締結具６４１ｃ〜６４１ｅにより連結されるＬ字型の連結片６４ｃ〜６４ｅとから構成されている。
【００１６】
上述した第１の清掃体６３は、連結片６４ｅに固定されるＬ字型の固定片６３ａと、この固定片６３ａに締結具６３１ｂを介してその上面が支持され、上部乗降口２の床板２ａに設けられた櫛板に溝部１１１ａが係合する係合踏段１ａ、およびこの係合踏段１ａより下部乗降口側に隣接する隣接踏段１ｂが高さ方向に段差を形成する位置で、係合踏段１ａの踏み面１１ａの溝部１１１ａの底面および表面にそれぞれ当接する第１のブラシ６３ｂと、その一端側が筒体６２ｄおよび支持棒６４ａの間に挟圧保持されるとともに他端側が第１のブラシ６３ｂの先端と隣接踏段１ｂの間に配設され、この隣接踏段１ｂの踏み面１１ｂに塗布された液体を払拭可能なモップ体６３ｃとから構成されている。なお、第１のブラシ６３ｂは図５に示す状態で、踏み面１１ｂに形成される複数個の溝部１１１ｂの底面、表面および側端部１１３に当接するよう配設されており、この配設位置は第２のブラシ６２ｂに関しても同様である。
【００１７】
上述した抑制手段６５は、支持棒６４ａおよび連結片６４ｅの間に配設され、これらの支持棒６４ａおよび連結片６４ｅを引き寄せるようにばね力を付与するコイルばね６５ａと、連結片６４ｅ上に締結具６５１ｂを介して固定される錘６５ｂとから構成されている。
【００１８】
本発明に係わる踏段清掃方法の一実施形態では、図６、図７に示す作業手順にしたがって踏段１ａ〜１ｃなどの清掃を行なうようになっている。すなわち、図６の手順Ｓ１として、上部乗降口２の床板２ａに設けられた櫛板を取外し、手順Ｓ２として図３に示すように、前記の櫛板を取外した取付孔にビス６１ａにより第２のブラケット６１を締結し、この第２のブラケット６１を介して第２の清掃体６２を取付ける。
【００１９】
次いで、手順Ｓ３としてエスカレータの下降運転により踏段１ａ〜１ｃを図１の左方向に移動させながら踏み面（いわゆるクリート部）１１ａ〜１１ｃに汚れ除去剤（例えば脱脂剤、あるいは汚損度が比較的高い場合には洗剤）を塗布し、手順Ｓ４として、前記の下降運転を１０回程度行ない、第２のブラシ６２ｂにより踏み面１１ａ〜１１ｃ上をブラッシングして、これらの踏み面１１ａ〜１１ｃの汚れを十分に浮き出させる。
【００２０】
次いで、手順Ｓ５として前記の下降運転を停止させ、第１の清掃体６３を、第２の清掃体６２のねじ棒６２ｃに第１のブラケット６４を介して取付け、モップ体６３ｃの一端を筒体６２ｄと支持棒６４ａとの間に挟圧保持するとともに他端側を第１のブラシ６３ｂの先端と踏み面１１ｂとの間に配設し、抑制手段６５を設置した後、手順Ｓ６として、第１のブラシ６３ｂが上下方向に変位可能かどうか、すなわち係合踏段１ａおよび隣接踏段１ｂ間で段差が生じた際にこの段差変位に追従可能かどうか確認する。
【００２１】
次いで、図７の手順Ｓ７として再度エスカレータの下降運転により踏段１ａ〜１ｃを移動させながら、踏み面１１ａ〜１１ｃに塗布した汚れ除去剤を浮き出た汚れとともにモップ体６３ｃでふき取り、手順Ｓ８として前記の下降運転を１０回程度行ない、モップ体６３ｃにより踏み面１１ａ〜１１ｃから汚れ除去剤を十分に除去する。
【００２２】
次いで、手順Ｓ９として前記の下降運転を停止させた後、第１の清掃体６３、第１のブラケット６４およびモップ体６３ｃを第２の清掃体６２から取外し、手順Ｓ１０として再度エスカレータの下降運転により踏段１ａ〜１ｃを移動させながら、第２のブラシ６２ｂにより踏み面１１ａ〜１１ｃをブラッシングして艶出しを行ない、手順Ｓ１１として前記の下降運転を停止させた後、第２の清掃体６２を床板２ａの櫛板用取付孔から取外し、手順Ｓ１２としてこの取付孔に櫛板を再び取付け、エスカレータを運転して異常がないかどうか確認して、踏段１ａ〜１ｃなどの清掃作業を完了する。
【００２３】
このように構成した踏段清掃方法の一実施形態では、踏段１ａ〜１ｃの踏み面１１ａ〜１１ｃ表面および溝部に当接する第２の清掃体６２を上部乗降口２ａに配置し、踏段１ａ〜１ｃを走行させて踏み面１１ａ〜１１ｃ上をブラッシングして、これらの踏み面１１ａ〜１１ｃの汚れを浮き出させた後、この汚れを含む汚れ除去剤を第１の清掃体６３のモップ体６３ｃで払拭するので、この汚れ除去剤とともに汚れを踏み面１１ａ〜１１ｃから十分に除去でき、落した汚れが再び踏み面１１ａ〜１１ｃに付着することを防止できる。
【００２４】
また、本実施形態に使用される踏段清掃装置６では、エスカレータを下降運転させることにより、モップ体６３ｃが、第１のブラシ６３ｂの先端により踏み面１１ａ〜１１ｃに押し当てられて溝部１１１ａ〜１１１ｃの表面、底面および側端部１１３に当接するため、これらの部位に塗布した汚れ除去剤を残さずに払拭でき、斑なく踏段１ａ〜１ｃの踏み面１１ａ〜１１ｃを全体にわたって均一に清掃できる。さらに、係合踏段１ａおよび隣接踏段１ｂが高さ方向に段差を形成する位置で、第１のブラシ６３ｂが係合踏段１ａの踏み面１１ａの溝部１１１ａの底面および表面にそれぞれ当接し、この第１のブラシ６３ｂが前記の段差変位に追従可能であるとともに、抑制手段６５により第１のブラシ６３ｂの変位を抑制するので、モップ体６３ｃが踏み面１１ａの側端部１１２に当接可能であり、この点からも踏み面１１ａ〜１１ｃの清掃を十分に行なえる。
【００２５】
なお、本実施形態では、上部乗降口２側に踏段清掃装置６を設けて、エスカレータを下降運転させて踏段１ａ〜１ｃの清掃を行なう場合を例示したが、本発明はこれに限らず、下部乗降口側に踏段清掃装置６を設けて、エスカレータを上昇運転させて踏段１ａ〜１ｃの清掃を行なう場合も同様の効果が得られる。
【００２６】
図８は本発明の踏段清掃方法の一実施形態に使用される他の踏段清掃装置を備えたエスカレータの説明図である。なお、図８において前述した図１〜図７に示すものと同等のものには同一符号を付してある。
【００２７】
図８に示す踏段清掃装置は、図１〜図７に示すものに比べて、第２のブラシ６２ｂを床板２ａに取付ける角度を変更し、第２のブラシ６２ｂを踏み面１１ａに対して直角ではなく下部乗降口の方向に傾けた点が異なっており、その他の構成は基本的に同等である。すなわち、第２のブラケット６１１は、ほぼ直角に交わる２つの片から形成されたＬ字体であるため、第２のブラシ６２ｂが下部乗降口の方向に傾いた状態、すなわち第２のブラシ６２ｂの上部乗降口２ａ側の端部が踏み面１１ａから浮いた状態で固定される。
【００２８】
この踏段清掃装置にあっては、第２のブラシ６２ｂの先端が下部乗降口側の部位で踏み面１１ａの溝部１１１ａ底部に当接するので、溝部１１１ａの全体をその毛先でブラッシングでき、踏段１ａ〜１ｃの清掃をより効果的に行なえる。
【００２９】
【発明の効果】
以上のように構成したので、本発明によれば、踏段の踏み面から汚れを確実に除去できる乗客コンベアの踏段清掃方法が得られる。
【図面の簡単な説明】
【図１】  本発明に係わる踏段清掃方法の一実施形態に使用される踏段清掃装置を備えたエスカレータの説明図である。
【図２】  図１に示す踏段清掃装置を拡大して示す説明図である。
【図３】  図１に示す踏段清掃装置に設けられる第２の清掃体の説明図である。
【図４】  図１に示す踏段清掃装置の平面図である。
【図５】  図１に示す踏段清掃装置に備えられる第１の清掃体により踏段の踏み面を清掃する状態を示す正面図である。
【図６】  本発明に係わる踏段清掃方法の一実施形態の作業手順の一部を示すフローチャートである。
【図７】  本発明に係わる踏段清掃方法の一実施形態の作業手順の残り部分を示すフローチャートである。
【図８】  本発明の踏段清掃方法の一実施形態に使用される他の踏段清掃装置を備えたエスカレータの説明図である。
【符号の説明】
１ａ〜１ｃ  踏段
２  上部乗降口
２ａ  床板
６  踏段清掃装置
１１ａ〜１１ｃ  踏み面
６１  第２のブラケット
６１ａ  ビス
６２  第２の清掃体
６２ｂ  第２のブラシ
６３  第１の清掃体
６４  第１のブラケット
６５  抑制手段
６３ｂ  第１のブラシ
６３ｃ  モップ体
１１１ａ〜１１１ｃ  溝部
６１１  第２のブラケット
【図１】
0003732958.tif 000002
【図２】
0003732958.tif 000003
【図３】
0003732958.tif 000004
【図４】
0003732958.tif 000005
【図５】
0003732958.tif 000006
【図６】
0003732958.tif 000007
【図７】
0003732958.tif 000008
【図８】
0003732958.tif 000009